(57)【要約】【課題】吊り戸に横方向の力がかかったとしても、吊り戸を横振れなく走行させることができ、しかも上レールの変形を防止して、吊り戸のスムーズな走行を実現できる吊り戸の取付け構造を提供する。【解決手段】建物の開口１の上部に断面略下向きコ字状の上レール６を取付ける。上レール６の上端部に下方に開口する走行ガイド溝部３５を形成する。吊り戸２を吊り下げたランナ本体１７の上面に水平面内で回転し且つ前記両側の走行輪２６よりも上方に位置するガイドローラ２７を設けてランナ７を形成する。該ランナ７の両側面に設けた走行輪２６、２６を前記上レール６の両レール片３３、３３に走行自在に載置する。上レール６の走行ガイド溝部３５内にランナ７のガイドローラ２７を配置する。【選択図】        図１
2004316177.tif 000002
【特許請求の範囲】
【請求項１】
建物の開口の上部に断面略下向きコ字状の上レールを取付け、この断面略下向きコ字状の上レールの両側片の下端部に互いに対向する方向に突出するレール片を形成し、上レールの上端部に下方に開口する走行ガイド溝部を形成し、吊り戸の上部にランナを取付け、該ランナを、ランナ本体と、ランナ本体の両側面側に設けた垂直面内で回転する走行輪と、ランナ本体の上面側に設けた水平面内で回転するガイドローラとで構成し、ランナ本体の両側面側に設けた走行輪を前記上レールの両レール片に走行自在に載置し、上レールの走行ガイド溝部内にランナのガイドローラを配置して成ることを特徴とする吊り戸の取付け構造。
【請求項２】
上記走行ガイド溝部の底面部を建物の開口の上縁を構成する上縁部に固着してなることを特徴とする請求項１記載の吊り戸の取付け構造。
【請求項３】
吊り戸の上部に設けたランナ取付け部にランナ本体を取付け、ランナ取付け部のランナを取付けた箇所とは異なる位置に軸挿入孔を形成し、ランナ本体から垂下する軸を前記軸挿入孔に挿入してなることを特徴とする請求項１又は請求項２記載の吊り戸の取付け構造。
【発明の詳細な説明】
【０００１】
【発明の属する技術分野】
本発明は、建物の開口にスライド自在に取付けられる吊り戸の取付け構造に関するものである。
【０００２】
【従来の技術】
従来から、収納部等の建物の開口を開閉するスライド自在の吊り戸が知られている。この吊り戸の取り付け構造としては、建物の開口の上縁に断面略下向きコ字状の上レールを取付け、該上レールの両側片の下端部に互いに対向する方向に突出するレール片を形成し、吊り戸の上部にランナを取付け、該ランナを、ランナ本体と、ランナ本体の両側面側に設けた垂直面内で回転する走行輪とで構成し、ランナの走行輪を前記上レールの両レール片に走行自在に載置したものが一般的であり、上レール内のランナを走行させることで、吊り戸をスライドして建物の開口を開閉していた。
【０００３】
ところでこのような吊り戸の取り付け構造においては、走行するランナがガイドされておらず、ランナが上レールの幅方向と同一方向の横方向に振れてしまうことがあり、これにより吊り戸が横振れを起こすという問題がある。
【０００４】
そこで従来では、ランナ本体の下面側に水平面内で回転するガイドローラを設け、該ガイドローラを両レール片間に配置することで、ランナが横方向に振れた場合に上レールの下端部の両レール片の夫々の端面にてガイドローラの周側面を支持するようにしており、これにより走行中のランナをガイドして吊り戸の横振れを防止していた（例えば特許文献１）。
【０００５】
【特許文献１】
特開平７−３１０４７０号公報
【０００６】
【発明が解決しようとする課題】
しかしながら上記特許文献１に示す従来例においては、ガイドローラの周側面を断面略コ字状の上レールにおける構造上強度の弱い箇所である自由端となった下端部から突出する両レール片の端面にて支持してあるので、上レールが変形してしまうことが多々あった。またこの場合、特に両レール片の変形が激しく、これにより両レール片に載置された両走行輪のスムーズな走行に支障をきたしてしまい、吊り戸をスムーズにスライドさせることができないという問題が生じてしまう。
【０００７】
本発明は上記の点に鑑みてなされたものであり、その目的とするところは、吊り戸に横方向の力がかかったとしても、吊り戸を横振れなくスライドさせることができ、しかも上レールの変形を防止でき、且つ吊り戸のスムーズな走行を実現できる吊り戸の取付け構造を提供することを課題とするものである。
【０００８】
【課題を解決するための手段】
上記課題を解決するために本発明に係る吊り戸の取付け構造は、建物の開口１の上部に断面略下向きコ字状の上レール６を取付け、この断面略下向きコ字状の上レール６の両側片３２、３２の下端部に互いに対向する方向に突出するレール片３３、３３を形成し、上レール６の上端部に下方に開口する走行ガイド溝部３５を形成し、吊り戸２の上部にランナ７を取付け、該ランナ７を、ランナ本体１７と、ランナ本体１７の両側面側に設けた垂直面内で回転する走行輪２６、２６と、ランナ本体１７の上面側に設けた水平面内で回転するガイドローラ２７とで構成し、ランナ本体１７の両側面側に設けた走行輪２６を前記上レール６の両レール片３３、３３に走行自在に載置し、上レール６の走行ガイド溝部３５内にランナ７のガイドローラ２７を配置して成ることを特徴とするものである。
【０００９】
このようにランナ７の両側面側に設けた走行輪２６、２６を上レール６の両レール片３３、３３に走行自在に載置し、断面略下向きコ字状の上レール６の上端部に形成した下方に開口する走行ガイド溝部３５内にランナ７のガイドローラ２７を配置することで、スライド中の吊り戸２に横方向の力がかかったとしても、走行ガイド溝部３５の両側面にてガイドローラ２７をガイドでき、これにより吊り戸２を横振れなくスライドさせることができるのは勿論、この場合、ガイドローラ２７の周側面は従来例のように断面略コ字状の上レールの下端部から突出する両レール片３３、３３の端面にて支持されるのではなく、断面略下向きコ字状の上レール６における構造上強度の強い箇所である上端部に形成した走行ガイド溝部３５の両側面にて支持されるため、上レール６の変形を防止でき、また特に両レール片３３、３３の変形を抑えることができる。
【００１０】
また請求項２記載の吊り戸の取付け構造は請求項１記載の吊り戸の取付け構造において、上記走行ガイド溝部３５の底面部３５ａを建物の開口１の上縁を構成する上縁部に固着してなることを特徴とするものである。
【００１１】
このように上記走行ガイド溝部３５の底面部３５ａを建物の開口１の上縁を構成する上縁部に固着することで、ガイドローラ２７を支持する走行ガイド溝部３５の構造上の強度をより強くできる。
【００１２】
また請求項３記載の吊り戸の取付け構造は請求項１又は請求項２記載の吊り戸の取付け構造において、吊り戸２の上部に設けたランナ取付け部８にランナ本体１７を取付け、ランナ取付け部８のランナ７を取付けた箇所とは異なる位置に軸挿入孔１９を形成し、ランナ本体１７から垂下する軸１８を前記軸挿入孔１９に挿入してなることを特徴とするものである。
【００１３】
このように吊り戸２の上部に設けたランナ取付け部８にランナ本体１７を取付け、ランナ取付け部８のランナ７を取付けた箇所とは異なる位置に軸挿入孔１９を形成し、ランナ本体１７から垂下する軸１８を前記軸挿入孔１９に挿入することで、吊り戸２に水平面内で回転する方向に力がかかったとしても、ランナ取付け部８のランナ７を取付けた箇所とは異なる位置に形成された軸挿入孔１９に挿入した軸１８により、ランナ７に対するランナ取付け部８の回転を防止できる。
【００１４】
【発明の実施の形態】
本発明を添付図面に示す実施形態に基づいて説明する。本発明は建物の開口にスライド自在に取付けられる吊り戸の取付け構造に関するものであって、以下の説明ではクローゼットなどの収納部の開口に取付けられる吊り戸の取付け構造について説明するが、この他に例えば吊り戸を建物の間仕切り等に使用しても良く、吊り戸が取付けられる建物の開口としては上記収納部の開口に限定されるものではない。また以下の説明では吊り戸として折り戸を用いた例を示すが、引き戸であっても良いものとする。
【００１５】
図２は収納部３の開口に複数の折り戸２を取付けた状態を示す斜視図である。各折り戸２は複数枚（図では２枚）の戸体４を蝶番により回動自在に連結してなるものであって、折り畳み自在となっている。各折り戸２の幅方向の両端における裏面の上端部にはランナ取付け部８が設けてあって、このランナ取付け部８にはランナ７が取付けられている。一方、収納部３の開口の上縁を構成する上枠５（上縁部）の下面には図１、図３、図４に示すように断面略下向きコ字状の上レール６を上枠５に沿って取付けてある。そしてこの上レール６内に前記各折り戸２に取付けたランナ７を上レール６の長手方向に走行自在に収納することで、折り戸２の両端部を近づける方向にスライドして折り戸２を折り畳み、これにより収納部３の開口１を開いたり、折り戸２の両端部を離れる方向にスライドして折り戸２を広げ、これにより収納部３の開口１を閉じたりすることが可能となる。なお、図示は省略するが折り戸２の下端部の幅方向の両端も収納部３の開口１の下縁部に設けた下レールにスライド自在に支持されているものとする。
【００１６】
以下上記折り戸２の取付け構造について詳述する。
【００１７】
折り戸２に設けたランナ取付け部８は、ランナ７に吊り下げられる吊具９と、吊具９と各折り戸２の裏面の上端部の幅方向における両端とを接続する展伸可能なスライド蝶番１０とからなる。
【００１８】
吊具９は図５に示すように上レール６の長さ方向に長い主部材１１と、主部材１１の中央部から下方に突出した蝶番接続部１２とからなる。蝶番接続部１２には幅方向に亘って後述するスライド蝶番１０の吊具接続部１３を嵌め込むための嵌め込み溝１４が長手方向における両側に形成されている。この吊具９の中央部にはランナ７と吊具９とを接続する固着具としてのねじ具１５を挿入するための上下方向に貫通する貫通孔１６が形成されており、またこの貫通孔１６の長手方向における両側には後述するランナ本体１７から垂下する軸１８を挿入するため軸挿入孔１９が形成されており、つまり軸挿入孔１９は貫通孔１６と平面視において異なる箇所に形成されている。
【００１９】
スライド蝶番１０は折り戸２の戸体４を吊具９に対して回動自在とするものであって、折り戸２に接続される折り戸接続部２０と、吊具９に接続される吊具接続部１３と、折り戸接続部２０と吊具接続部１３とを連結する展伸・折り畳み自在な平行リンクプレート２１とを備えている。図４中の２２、２３は平行リンクプレートの一端側の枢支部、２４、２５は他端側の枢支部である。
【００２０】
そしてこのスライド蝶番１０の折り戸接続部２０を折り戸２の両端における裏面の上端部に固着具等により固着すると共に、スライド蝶番１０の吊具接続部１３を吊具９のどちらか一方の嵌め込み溝１４に嵌め込んで固着具３０により固着することで、折り戸２にランナ取付け部８が設けられる。ここで、折り戸２を折り畳む方向に戸体４を回動させた場合には、スライド蝶番１０の平行リンクプレート２１が展伸することによって折り戸２の端部を前方（図４のイに示す方向）に突き出して折り戸２の端部が収納部３の開口縁に干渉しないようにしており、また折り戸２を広げる方向に戸体４を回動させた場合には、平行リンクプレート２１が折り畳まれて折り戸接続部２０に収め、これにより広げられた折り戸２の裏面が収納部３の開口縁と略面一となるようにしている。なお本実施形態では上記のようにランナ取付け部８を吊具９とスライド蝶番１０とで構成したが、ランナ取付け部８はこれに限定されず、例えば吊り戸２の上端面をランナ取付け部８とし、このランナ取付け部８にランナ７を固着具等により直接取付けても良いものとする。
【００２１】
上記のランナ取付け部８に取付けられるランナ７は図５に示すように上レール６の長さ方向に長い略直方体のランナ本体１７で主体を構成している。ランナ本体１７の中央部には前記ランナ７と吊具９とを接続するねじ具１５を挿通するための上下方向に貫通するねじ具用孔２９が形成されている。またランナ本体１７には長手方向における両側から垂下する軸１８を設けている。
【００２２】
このランナ本体１７の長手方向における両側にはランナ本体１７を貫通する水平軸３７を夫々設けてあり、各水平軸３７の両端には回動自在の走行輪２６、２６を設けている。すなわち、走行輪２６は両側面側の長手方向における両側に２輪づつ、計４輪設けられており、各走行輪２６は垂直面内で回転するものである。ランナ本体１７の長手方向における水平軸３７の両外側にはランナ本体１７を貫通する垂直軸３８が夫々設けてあり、各垂直軸３８の夫々の上端には回動自在のガイドローラ２７、２７を設けている。すなわち、ガイドローラ２７はランナ本体１７の上面側の長手方向における両側に夫々設けられており、両ガイドローラ２７は水平面内で回転するものである。ここで、両ガイドローラ２７、２７の回転軸である垂直軸３８はその下端がランナ本体１７よりも下方に突出しており、本実施形態ではこのランナ本体１７から下方に突出した垂直軸３８を前記ランナ本体１７から垂下する軸１８としている。
【００２３】
そして上記ランナ７のランナ本体７をランナ取付け部８に取付ける場合は、前記吊具９の貫通孔１６に下方からねじ具１５を挿通して、該ねじ具１５の先端をランナ７のねじ具用孔２９に形成した雌ねじ部に螺着すると共に、ランナ本体１７から垂下する軸１８を吊具９の軸挿入孔１９に挿入する。
【００２４】
一方、上記ランナ７を走行自在に収納する上レール６は図１に示すように上枠５に固着される中央片３１と、互いに対向する両側片３２、３２とで断面略下向きコ字状に形成されている。この断面略下向きコ字状の上レール６の両側片３２、３２の下端部には互いに対向する方向に突出するレール片３３、３３を形成しており、両レール片３３、３３間に上レール６の長さ方向に伸びるレール溝３４を形成している。ここで両レール片３３、３３の上面はランナ７の両側面側に設けた走行輪２６の周面に合った曲面となっており、両側面側に設けた走行輪２６は上レール６の幅方向である横方向に振れ難くなっている。上レール６の中央片３１は幅方向中央部が上方に突曲しており、上レール６の上端部に下方に開口する走行ガイド溝部３５を形成している。つまり走行ガイド溝部３５は上レール６の上端部における幅方向中央部に形成されており、レール溝３４に向けて開口している。上レール６を上枠５に固着する場合は、上レール６の走行ガイド溝部３５の底面部３５ａに下方から固着具としてのねじ具３６を挿通すると共にこのねじ具３６の先端を上枠５に固着する。ここで上レール６の両側片３２、３２は中央片３１の両端部よりも上方に延設されており、両側片３２、３２の上端面と中央片３１のガイド溝部３５の上面とは面一となって上枠５の下面に面接触しているものとする。
【００２５】
そしてこのように折り戸２の上端部に取付けたランナ７の両側面側に設けた各走行輪２６を上レール６の両レール片３３、３３に走行自在に載置すると共に、上レール６の走行ガイド溝部３５内にランナ７の各ガイドローラ２７、２７を走行ガイド溝部３５の両側面とガイドローラ２７、２７の周側面とが近接するように配置することで、上レール６内に折り戸２の上端部に取付けたランナ７が長手方向に走行自在に収納され、これにより折り戸２が収納部３の開口１にスライド自在に取付けられることとなる。
【００２６】
上記のようにランナ７の両側面側に設けた走行輪２６を上レール６の両レール片３３、３３に走行自在に載置し、断面略下向きコ字状の上レール６の上端部に形成した下方に開口する走行ガイド溝部３５内に垂直面内で回転するランナ７のガイドローラ２７を配置するといった吊り戸２の取付け構造により、吊り戸２に横方向の力がかかったとしても、走行ガイド溝部３５の両側面にてガイドローラ２７を支持することができ、これにより吊り戸２を横振れなく走行させることができる。しかもこの場合、ガイドローラ２７の周側面は従来例のように断面略コ字状の上レールの下端部から突出する両レール片３３、３３の端面にて支持されるのではなく、断面略下向きコ字状の上レール６における構造上強度の強い箇所である上端部に形成した走行ガイド溝部３５の両側面にて支持されるため、上レール６の変形を防止できる。また特に両レール片３３、３３の変形を抑えることができるため、従来例のように両レール片３３、３３の変形によりランナ７のスムーズな走行を妨げることなく、吊り戸２をスムーズに走行させることができる。
【００２７】
また上記走行ガイド溝部３５の底面部３５ａを建物の開口の上縁を構成する上縁部に固着することで、ガイドローラ２７を支持する走行ガイド溝部３５の構造上の強度をより強くでき、上レール６の変形を一層抑えることができる。また上記走行ガイド溝部３５は上レール６の幅方向の中央部に設けてあり、さらには走行ガイド溝部３５の底面部３５ａの上面は上枠５の下面に面接触しているので、この点からも走行ガイド溝部３５の構造上の強度は強いものとなっている。
【００２８】
また上記したようにランナ取付け部８にランナ本体１７を取付け、ランナ取付け部８のランナ７を取付けた箇所とは異なる位置に軸挿入孔１９を形成し、ランナ本体１７から垂下する軸１８を前記軸挿入孔１９に挿入することで、折り戸２を折り畳んだり広げたりする等して折り戸２に水平面内で回転する力がかかったとしても、ランナ取付け部８の吊り下げられた箇所とは異なる位置に形成された軸挿入孔１９、１９に挿入した軸１８、１８によって、ランナ７に対するランナ取付け部８の回転を防止でき、特に本実施形態のようにランナ取付け部８にスライド蝶番１０を構成したものにおいては、スライド蝶番１０とランナ７の供廻りを防止できる。またこの場合、ランナ本体１７とランナ取付け部８とを固着する固着具をねじ具１５としているので、ねじ具１５の螺合の緩みを防止する効果も有している。さらには両ガイドローラ２７、２７の垂直軸２８、２８をランナ本体１７から垂下する軸１８、１８として兼用することで、部品点数の増加も抑えている。
【００２９】
【発明の効果】
上記のように本発明の請求項１記載の発明にあっては、ランナの両側面に設けた走行輪を上レールの両レール片に走行自在に載置し、断面略下向きコ字状の上レールの上端部に形成した下方に開口する走行ガイド溝部内にランナのガイドローラを配置することで、吊り戸に横方向の力がかかったとしても、走行ガイド溝部の両側面にてガイドローラを支持することができ、これにより吊り戸を横振れなく走行させることができるのは勿論、ガイドローラの周側面を断面略下向きコ字状の上レールにおける変形し難い上端部に形成した走行ガイド溝部の両側面にてガイドローラの周側面を支持するので、上レールの変形を防止でき、また特に両レール片の変形を抑えることができるため、従来例のように両レール片の変形によりランナのスムーズな走行を妨げることなく、吊り戸をスムーズに走行させることができる。
【００３０】
また請求項２記載の発明にあっては、上記請求項１記載の発明の効果に加えて上記走行ガイド溝部の底面部を建物の開口の上縁を構成する上縁部に固着することで、ガイドローラを支持する走行ガイド溝部の構造上の強度をより強くでき、上レールの変形を一層抑えることができる。
【００３１】
また請求項３記載の発明にあっては、上記請求項１又は請求項２記載の発明の効果に加えて、ランナ本体に吊り戸の上端部に設けた吊具を吊り下げ、ランナ本体に設けた下方に突出する軸を吊具のランナに吊り下げられた箇所とは異なる位置に形成された軸挿入孔に挿入することで、吊り戸に水平面内で回転する力がかかったとしても、吊具の吊り下げられた箇所とは異なる位置に形成された孔に挿入した軸によって、ランナに対する吊具の回転を防止することができる。
【図面の簡単な説明】
【図１】本発明の実施の形態の一例を示す吊り戸の取付け構造を示す側面図である。
【図２】同上の吊り戸を建物の開口に取付けた状態を示す斜視図である。
【図３】図１の正面図である。
【図４】図１の平面図である。
【図５】同上のランナ及び吊具の分解斜視図である。
【符号の説明】
１  建物の開口
２  吊り戸
６  上レール
７  ランナ
８  ランナ取付け部
１７  ランナ本体
１９  軸挿入孔
２６  走行輪
２７  ガイドローラ
３２  両側片
３３  レール片
３５  走行ガイド溝部
３６  固着具
【図１】
2004316177.tif 000003
【図２】
2004316177.tif 000004
【図３】
2004316177.tif 000005
【図４】
2004316177.tif 000006
【図５】
2004316177.tif 000007